(57)【要約】      （修正有）【課題】自在に着脱することができるとともに、着けている時は日除けとして働き、取り外し時は顔等を拭いたりすることが可能なタオルを備えた日除け付帽子を提供する。【解決手段】日除け付帽子１０は、帽子本体１と、帽子本体１に取り付け可能なタオル２とを備え、帽子本体１は、帽子本体１のスベリに対応する表面に、右側頭部から後頭部を介して左側頭部にわたって、配列した複数のボタン１１を有し、タオル２の一つの縁部には、ボタン１１が挿入される複数のボタンホールが配列している。【選択図】図１
0003230207.tif 000002
【実用新案登録請求の範囲】
【請求項１】
帽子本体と、
前記帽子本体に取り付け可能なタオルと、を備え、
前記帽子本体は、前記帽子本体のスベリに対応する表面に、右側頭部から後頭部を介して左側頭部にわたって、配列した複数のボタンを有し、
前記タオルの一つの縁部には、前記ボタンが挿入される複数のボタンホールが配列している日除け付帽子。
【請求項２】
前記帽子本体は、前記ボタンを隠すための帯状部材を有している請求項１に記載の日除け付帽子。
【考案の詳細な説明】
【技術分野】
【０００１】
本考案は、日除け付帽子に関する。
【背景技術】
【０００２】
例えば、登山や屋外スポーツなど野外で活動する際、日除けのために帽子を装着する。帽子は、通常、鍔を有しており、これにより眩しさを防いだり、顔が日焼けすることを防止したりする構成を有している。
しかしながら、一般的な帽子は、首に日差しが当たるのを防止する機能は有しておらず、首筋が日焼けしてしまう。
【０００３】
このような問題を解決するために、帽子の後頭部側の下部に被覆部材を面ファスナーや線ファスナーで装着させ、首筋に日が当たることを防ぐ帽子が知られている（例えば、特許文献１）。
【先行技術文献】
【特許文献】
【０００４】
【特許文献１】特開２００５−２５６１９５号公報
【考案の概要】
【考案が解決しようとする課題】
【０００５】
しかしながら、特許文献１に記載の帽子に装着される被覆部材は、取り外しまうと特に使い道はなく、紛失してしまう恐れがある。
【０００６】
そこで、本考案は、自在に着脱することができるとともに、着けている時は日除けとして働き、取り外し時は顔等を拭いたりすることが可能なタオルを備えた日除け付帽子を提供することを目的とする。
【課題を解決するための手段】
【０００７】
本考案は、帽子本体と、
前記帽子本体に取り付け可能なタオルと、を備え、
前記帽子本体は、前記帽子本体のスベリに対応する表面に、右側頭部から後頭部を介して左側頭部にわたって、配列した複数のボタンを有し、
前記タオルの一つの縁部には、前記ボタンが挿入される複数のボタンホールが配列している日除け付帽子である。
【０００８】
このような日除け付帽子において、前記帽子本体は、前記ボタンを隠すための帯状部材を有していることが好ましい。
【考案の効果】
【０００９】
本考案によれば、自在に着脱することができるとともに、着けている時は日除けとして働き、取り外し時は顔等を拭いたりすることが可能なタオルを備えた日除け付帽子を提供することができる。
【図面の簡単な説明】
【００１０】
【図１】本考案の一実施形態に係る日除け付帽子を装着した状態を示す斜視図である。
【図２】図１に示す日除け付帽子の帽子本体の（ａ）側面図、（ｂ）背面図である。
【図３】図１に示す日除け付帽子が備えるタオルの平面図である。
【考案を実施するための形態】
【００１１】
以下、本考案に係る日除け付帽子の好適な実施形態について説明する。
図１は、本考案の一実施形態に係る日除け付帽子を装着した状態を示す斜視図、図２は、図１に示す日除け付帽子の帽子本体の（ａ）側面図、（ｂ）背面図、図３は、図１に示す日除け付帽子が備えるタオルの平面図である。
本実施形態の日除け付帽子１０は、図１、２に示すように、帽子本体１と、タオル２とを備えている。
【００１２】
帽子本体１は、頭部に被ることで頭部を保護する機能を備える。
帽子本体１の形状は、タオル２を装着可能なボタンを取り付けるスペースが有れば特に限定されず、例えば、図示のようなワークキャップ形状であってもよく、ベースボールキャップ形状、ベレー帽形状、ハンチング帽形状やキャスケット形状等であってもよい。
帽子本体１を構成する材料としては、特に限定されず、一般的な帽子に用いられる公知の材料を用いることができる。
【００１３】
帽子本体１は、図２に示すように、帽子本体１のスベリに対応する表面に、右側頭部から後頭部を介して左側頭部にわたって、略等間隔に配列した５つのボタン１１を有している。
また、帽子本体１は、図１および図２に示すように、右側頭部から後頭部を介して左側頭部にわたって設けられた帯状部材１２を有している。
この帯状部材１２は、配列した複数のボタン１１の全てを覆う長さとなっていて、その両端部が帽子本体１に縫製等によって固定されている。帯状部材１２によってボタン１１が覆い隠されるため、見た目の点で優れている。また帯状部材１２により、ボタン１１が他のものに引っかかるのを防止することができる。
【００１４】
タオル２は、略長方形状をなしており、一つの長辺側の縁部に、一列に並んだ５つのボタンホール２１を有している。
５つのボタンホール２１は、それぞれ、上述した５つのボタン１１が挿入されるよう構成されている。タオル２を帽子本体１に取り付けるにあたっては、帯状部材１２を上方にずらしてボタン１１を露出させ、ボタンホール２１にボタン１１を挿入した後、帯状部材１２を元の位置に戻せばよい。タオル２は、帽子本体１に取り付けることで、首筋や耳などの日除けとして機能する。
本実施形態において、タオル２の長辺の長さは、図１に示すように、帽子本体１の右側頭部から左側頭部までの長さよりも長い構成となっている。これにより、日除け付帽子１０を装着している際に、タオル２のボタン１１で帽子本体１に固定されていない部分で汗等を拭くことができる。
【００１５】
タオル２を構成する生地としては、パイル地、シャーリング地、表ガーゼ織地、朱子織地、ワッフル織地、無撚糸地、マイクロファイバー等を用いることができる。また、冷感を呈する生地を使用してもよい。ここで冷感を呈する生地とは、肌が触れた際に肌の熱を生地に素早く移動させることができる熱伝導率や熱拡散率が高い生地（接触冷感に優れる生地）や、肌の汗を吸い取ったり、水に浸したりして生地に水分を含ませ、その水分を素早く蒸発させて気化熱を急速に奪うことができる生地を意味する。また、上記生地のうちから、表生地用、裏生地用等に分けて選択することもできる。
なお、タオル２には、表裏が有ってもよいし、無くてもよい。
【００１６】
上述したような日除け付帽子１０によれば、首筋や耳に直接日が当たることを防止し、日焼けすることを防止することができる。また、取り付けられたタオル２は、日除けとして機能する他、取り外して顔等を拭くこともできる。なお、タオル２にはボタンなどの突起物がないので、顔等を拭くときに邪魔にならない構成となっている。
【００１７】
以上、本考案の日除け付帽子について具体的な実施形態に基づいて説明したが、本考案の日除け付帽子は、これまでに述べた実施形態に限定されるものではなく、実用新案登録請求の範囲に従う範疇で種々の変更を加えたものも含まれる。
【００１８】
例えば、前述した実施形態では、帽子本体１がボタン１１を５つ有する場合について説明したが、ボタン１１の数は特に限定されず、２〜４つでもよいし、６つ以上であってもよい。
また、前述した実施形態では、ボタン１１が略等間隔に配列している場合について説明したが、略等間隔でなくてもよい。
また、前述した実施形態では、帽子本体１がボタン１１を隠すための帯状部材１２を有しているものとして説明したが、帯状部材１２は無くてもよい。
【００１９】
また、前述した実施形態では、ボタンホール２１が５つ設けられている場合について説明したが、ボタンホール２１の数は、ボタン１１の数に合わせて増減する。また、ボタン１１とボタンホール２１との数は、同じでなくてもよい。
また、前述した実施形態では、タオル２の長辺の長さが帽子本体１の右側頭部から左側頭部までの長さよりも長い構成について説明したが、略同じ長さであってもよい。
【符号の説明】
【００２０】
１                帽子本体
２                タオル
１０              日除け付帽子
１１              ボタン
１２              帯状部材
２１              ボタンホール
【図１】
0003230207.tif 000003
【図２】
0003230207.tif 000004
【図３】
0003230207.tif 000005